(57)【要約】    【課題】本発明の課題は、販売期限日のある商品を扱う自動販売機における販売期限についての商品管理の設定操作が容易な自動販売機を提供することである。    【解決手段】販売期限日になると、該当コラムの商品販売を停止する自動販売機において、販売期限設定モードに切り替え、販売期限日を入力し、商品選択押釦を押すことにより販売期限が設定できるようにするものである。【選択図】      図１
2005250757.tif 000002
【特許請求の範囲】
【請求項１】
販売期限日になると、該当コラムの商品販売を停止する自動販売機において、販売期限設定モードに切り替え、販売期限日を入力し、商品選択押釦を押すことにより販売期限が設定できるようにしたことを特徴とする自動販売機。
【請求項２】
請求項１に記載の自動販売機において、販売期限日を複数設定可能としたことを特徴とする自動販売機。
【請求項３】
請求項１または２に記載の自動販売機において、販売期限設定モードに切り替え、販売期限日を入力すると、既に同一の販売期限日が設定されている商品選択押釦の販売可能表示ランプを点灯させることを特徴とする自動販売機。
【請求項４】
請求項１ないし３のいずれかに記載の自動販売機において、販売期限設定モードに切り替え、販売期限日を入力し、商品選択押釦を押した際に、既に販売期限日が設定されている場合には、後からの期限日を優先して設定することを特徴とする自動販売機。
【発明の詳細な説明】
【技術分野】
【０００１】
本発明は、販売期限日が設定されている商品を販売する自動販売機に関する。
【背景技術】
【０００２】
近年、乳製品あるいはホットコーヒーなどの加温商品は、その品質を保つために販売期限として販売期限日を設定して、販売期限日を過ぎた商品は販売不可とする自動販売機が知られている。
このような要求に対して、販売期限日付きの商品を提供する自動販売機としては、設定入力装置から入力される補充数と補充時刻とを記憶し、商品販売のたびに、記憶手段に記憶されている補充データの商品補充数を補充時刻の古い順に減算するとともに、日替わり時に、記憶手段に記憶されている補充データの補充時刻を参照し、販売期限日を経過した商品が収納されているコラムの商品販売の停止を停止し、販売不可表示部に表示する。また、払出し起動スイッチにより商品払出し装置が期限切れ商品を払出し、確認起動スイッチにより確認表示装置に現在の商品在庫数と収納期限が表示できるようにした装置が開示されている(特許文献１参照）。
【特許文献１】特開平３−２７１８９１号公報
【発明の開示】
【発明が解決しようとする課題】
【０００３】
ところで、従来の方式では、各コラム毎に販売期限日を入力する必要があり、操作性が良くない。
本発明の課題は、販売期限日のある商品を扱う自動販売機における販売期限についての商品管理の設定操作が容易な自動販売機を提供することである。
【課題を解決するための手段】
【０００４】
本発明は、以下の手段により達成されるものである。
販売期限日になると、該当コラムの商品販売を停止する自動販売機において、販売期限設定モードに切り替え、販売期限日を入力し、商品選択押釦を押すことにより販売期限が設定できるようにする。
また、販売期限日を複数設定可能とする。
また、販売期限設定モードに切り替え、販売期限日を入力すると、既に同一の販売期限日が設定されている商品選択押釦の販売可能表示ランプを点灯させる。
また、販売期限設定モードに切り替え、販売期限日を入力し、商品選択押釦を押した際に、既に販売期限日が設定されている場合には、後からの期限日を優先して設定する。
【発明の効果】
【０００５】
本発明は、販売期限日になると、該当コラムの商品販売を停止する自動販売機において、販売期限設定モードに切り替え、販売期限日を入力し、商品選択押釦を押すことにより販売期限が設定できるようにすることにより、販売期限の設定時の操作を簡略化できる。
【発明を実施するための最良の形態】
【０００６】
以下に、本発明の一実施の形態を示す図１ないし４を用いて説明する。
まず、図４は、自動販売機の概略正面図であり、１は自動販売機、２は商品見本、３は複数の商品見本に対応して設けられ、販売可能表示ランプ３ａおよび売切ランプ３ｂを有する商品選択押釦、４は金額表示器、５は硬貨投入口、６は硬貨返却口、７は商品取出口である。
次に、図１は、本発明の一実施の形態を示す構成ブロック図である。
１１は装置全体を制御するＣＰＵ、１２は制御プログラムを格納するメモリ、１３は補充データなど種々のデータを記憶するメモリ、１４は計時用の時計、１５は各種設定または確認モードとするためのモードキー１５ａ、設定キー１５ｂ、終了キー１５ｃ、キーボード１５ｄ、ディスプレイ１５ｅなどを有する設定装置、１６は商品搬出装置である。
【０００７】
なお、図３において示した金額表示器４、販売可能表示ランプ３ａおよび売切ランプ３ｂを有する商品選択押釦３も電気的に接続されている。
この構成において、図２のフローチャートを用いて販売期限日設定モードについて説明する。なお、この実施の形態の場合、パターン１〜３の３パターン設定可能とする。
まず、この構成では、設定装置１５のモードキー１５ａを操作して販売期限設定モードとすると（ステップＳ１，Ｙ）、販売期限１の設定モードとなり、販売期限１がディスプレイ１５ｅに表示され（ステップＳ２）、ここで、キーボード１５ｄにて年月日を入力すると（ステップＳ３，Ｙ）、販売期限１としての年月日がディスプレイ１５ｅに表示され（ステップＳ４）、設定キー１５ｂを押すことにより（ステップＳ５，Ｙ）、販売期限１としての年月日が設定され（ステップＳ６）、この販売期限１に設定したい商品の商品選択押釦３を押すことにより（ステップＳ７，Ｙ）、その商品の販売期限が販売期限１としてメモリ１３の所定の記憶領域に記憶される（ステップＳ８）。
【０００８】
次に、設定キー１５ｂを押すことにより（ステップＳ９，Ｙ）、販売期限２の設定モードとなり、販売期限２がディスプレイ１５ｅに表示され（ステップＳ１０）、ここで、キーボード１５ｄにて年月日を入力すると（ステップＳ１１，Ｙ）、販売期限２としての年月日がディスプレイ１５ｅに表示され（ステップＳ１２）、設定キー１５ｂを押すことにより（ステップＳ１３，Ｙ）、販売期限２としての年月日が設定され（ステップＳ１４）、この販売期限２に設定したい商品の商品選択押釦３を押すことにより（ステップＳ１５，Ｙ）、その商品の販売期限が販売期限２としてメモリ１３の所定の記憶領域に記憶される（ステップＳ１６）。
次に、設定キー１５ｂを押すことにより（ステップＳ１７，Ｙ）、販売期限３の設定モードとなり、販売期限３がディスプレイ１５ｅに表示され（ステップＳ１８）、ここで、キーボード１５ｄにて年月日を入力すると（ステップＳ１９，Ｙ）、販売期限３としての年月日がディスプレイ１５ｅに表示され（ステップＳ２０）、設定キー１５ｂを押すことにより（ステップＳ２１，Ｙ）、販売期限３としての年月日が設定され（ステップＳ２２）、この販売期限３に設定したい商品の商品選択押釦３を押すことにより（ステップＳ２３，Ｙ）、その商品の販売期限が販売期限３としてメモリ１３の所定の記憶領域に記憶される（ステップＳ２４）。
【０００９】
このように、販売期限を３パターン設定して、終了キー１５ｃ（ステップＳ２５，Ｙ）を操作することにより、販売期限設定を終了する。
なお、販売期限は必ず３パターン入力する必要は無く、ステップＳ９，Ｓ２１の時点で設定キーを操作せず、終了キー１５ｃを操作すると、その時点で販売期限設定を終了することができ、また、販売期限は最大３パターンに限定されるものではなく、より多く設けてもよい。
次に、販売期限確認時について図３のフローチャートに基づいて説明すると、設定装置１５のモードキー１５ａを操作して販売期限設定モードとすると（ステップＳ３１）、販売期限１の設定モードとなり、既に販売期限が設定されていれば（ステップＳ３２）、販売期限１として年月日がディスプレイ１５ｅに表示される（ステップＳ３３）。ここで、表示されている販売期限１の年月日に既に設定されている商品があれば、対応する商品選択押釦３の販売可能表示ランプ３ａを点灯させる（ステップＳ３４）。この確認時において、販売可能表示ランプ３ａが点灯している商品選択押釦３を押すと、販売期限の設定が解除され、販売可能表示ランプ３ａが点灯していない商品選択押釦９を押すと、その商品の販売期限としてメモリ１３に記憶される。
【００１０】
なお、販売期限２、３に図２のフローチャート同様に、設定キー１５ｂを操作することにより、販売期限の確認が可能であり、終了キー１５ｅを操作することにより、確認モードを終了する。
また、既に販売期限の年月日が設定されている状態で、販売期限の年月日を変更した場合には、現在時刻と比較して、現在時刻以降であれば、変更後の販売期限を優先する。
さらに、販売期限管理の運用は、販売期限になると、売切ランプ３ｂを点灯して、売切れとするものであり、また、交互販売などのグループ設定がされている場合には、いずれかの商品が販売期限に達したら、グループ全体を売切れとする。
【図面の簡単な説明】
【００１１】
【図１】本発明の一実施の形態である自販機の制御装置を示す構成ブロック図
【図２】販売期限設定処理の動作を示すフローチャート
【図３】販売期限確認処理の動作を示すフローチャート
【図４】本発明の対象となる自動販売機の概略正面図
【符号の説明】
【００１２】
１          自動販売機
３          商品選択押釦
３ａ        販売可能表示ランプ
３ｂ        売切ランプ
１１        ＣＰＵ
１２、１３  メモリ
１４        時計
１５        設定装置
１５ａ      モードキー
１５ｂ      設定キー
１５ｃ      終了キー
１５ｄ      キーボード
１５ｅ      ディスプレイ
【図１】
2005250757.tif 000003
【図２】
2005250757.tif 000004
【図３】
2005250757.tif 000005
【図４】
2005250757.tif 000006